(57)【要約】【課題】簡単な操作で同じ人物の画像を複数の異なる向きで表示する。【解決手段】装置本体１１を水平位置にした状態で電源ボタン１３を押圧すると、第１画像１５がＬＣＤ１２に表示される。第１画像１５には、正面を向いた顔１６ａの人物１６が写っている。装置本体１１を左下方向に傾ける（反時計方向に回転）と、第１画像１５と同じ人物１６の右側を向いた顔１６ｂが写っている第２画像１７がＬＣＤ１２に表示される。装置本体１１を水平位置から、右下方向に傾ける（時計方向に回転）傾けると、人物１６の左側を向いた顔１６ｃが写っている第３画像１８がＬＣＤ１２に表示される。第２画像１７または第３画像１８がＬＣＤ１２に表示された装置本体１１の傾きをそれぞれ元の水平位置に戻しても、第２画像１７または第３画像１８は継続してＬＣＤ１２に表示される。【選択図】図１
2010181556.tif 000002
【特許請求の範囲】
【請求項１】
画像が表示される表示部を備えた装置本体と、
前記装置本体が水平位置から傾けられた際に、その角速度を検出する角速度センサと、
前記角速度センサからの出力に基づいて、前記装置本体の水平位置からの傾き方向を判別する傾き方向判別部と、
前記装置本体が水平位置から傾けられた際に、前記装置本体の水平位置で前記表示部に表示されていた第１画像に写っている人物と同一人物で、かつ前記傾き方向に応じた顔の向きの人物が写っている第２画像を前記表示部に表示する制御部と
からなることを特徴とする画像表示装置。
【請求項２】
前記制御部は、前記表示部に第２画像を表示した後、前記装置本体の傾きが水平位置に戻されても、前記第２画像を継続して前記表示部に表示することを特徴とする請求項１記載の画像表示装置。
【請求項３】
前記装置本体に、操作しながら前記装置本体を水平位置から傾けたときのみに、前記第１画像から第２画像への変更を許容する誤動作防止用操作部を設けたことを特徴とする請求項１または２記載の画像表示装置。
【請求項４】
前記装置本体に、前記第１画像に写っている人物が複数である場合、１回の操作毎に前記第１画像に写っている人物を１人ずつ順番に選択してその人の顔を拡大表示する人物選択操作部を設け、この人物選択操作部により選択された人物の顔が前記表示部に拡大表示されている状態で、前記誤動作防止用操作部を操作しながら前記装置本体を水平位置から傾けることにより、前記角速度センサからの出力に基づいて前記傾き方向判別部が前記装置本体の水平位置からの傾き方向を判別し、前記制御部は、前記選択された人物と同一人物で、かつ前記傾き方向に応じた顔の向きの人物が写っている第３画像を前記表示部に表示することを特徴とする請求項３記載の画像表示装置。
【請求項５】
前記同一人物について顔の向きが異なる複数個の画像の画像データを予め記憶した記憶部を設けたことを特徴とする請求項１ないし４いずれか１項記載の画像表示装置。
【請求項６】
前記記憶部に記憶された顔の向きが異なる同一人物が写っている複数個の画像の明るさを揃えるように補正する明るさ補正部を設けたことを特徴とする請求項５記載の画像表示装置。
【請求項７】
前記記憶部に記憶された顔の向きが異なる同一人物が写っている複数個の画像のホワイトバランスを揃えるように補正するホワイトバランス補正部を設けたことを特徴とする請求項５または６記載の画像表示装置。
【請求項８】
画像が表示される表示部を備えた装置本体が水平位置から傾けられた際に、その角速度を検出する角速度検出ステップと、
前記角速度に基づいて、前記装置本体の水平位置からの傾き方向を判別する傾き方向判別ステップと、
前記装置本体が水平位置から傾けられた際に、前記装置本体の水平位置で前記表示部に表示されていた第１画像に写っている人物と同一人物で、かつ顔の向きが前記傾き方向に応じた向きの人物が写っている第２画像を前記表示部に表示する顔向き変更ステップと
からなることを特徴とする画像表示方法。
【発明の詳細な説明】
【技術分野】
【０００１】
本発明は、撮影済みの画像を表示する画像表示装置及び方法に関し、さらに詳しくは、同一人物の画像を異なる複数の向きで表示する携帯型の画像表示装置及び方法に関する。
【背景技術】
【０００２】
撮影済みの画像を表示する画像表示装置としては、再生モード時のデジタルカメラやカメラ付き携帯電話機、また、撮影機能は有しないが、液晶ディスプレイ（ＬＣＤ）の表示部を備えた、例えばｉＰｏｄ（登録商標）のような携帯型の装置が知られている。
【０００３】
最近の画像表示装置は、単に画像を再生表示するだけでなく、装置本体の水平，垂直位置のいずれでも正常に見えるように、装置本体の水平，垂直位置によってＬＣＤに表示された画像を縦横変換するものや、ＬＣＤの画面にタッチした指を予め決められた動かし方で動かすことにより、ＬＣＤに表示された画像が拡大，縮小（ズーミング）されたり、別の画像が表示（画像送り）されたりするものが市販されている。
【０００４】
また、撮影時に画像の傾きを検出しておいて、再生時にその傾きを修正して正常な姿勢で画像を再生表示するデジタルカメラが知られている（特許文献１）。
【先行技術文献】
【特許文献】
【０００５】
【特許文献１】特開２００７−００６１６２号公報
【発明の概要】
【発明が解決しようとする課題】
【０００６】
上記のような装置は、いずれも画像を正常な姿勢で表示するものであるが、例えば画像が人物の場合、その人物を複数の異なった向きで、しかも簡単な操作で表示できる画像表示装置はこれまで提供されていなかった。
【０００７】
本発明は、上記のような問題点に鑑みてなされたものであり、簡単な操作で同じ人物の画像を複数の異なる向きで表示することができる画像表示装置及び方法を提供することを目的とする。
【課題を解決するための手段】
【０００８】
本発明の画像表示装置は、画像が表示される表示部を備えた装置本体と、前記装置本体が水平位置から傾けられた際に、その角速度を検出する角速度センサと、前記角速度センサからの出力に基づいて、前記装置本体の水平位置からの傾き方向を判別する傾き方向判別部と、前記装置本体が水平位置から傾けられた際に、前記装置本体の水平位置で前記表示部に表示されていた第１画像に写っている人物と同一人物で、かつ前記傾き方向に応じた顔の向きの人物が写っている第２画像を前記表示部に表示する制御部とからなることを特徴とする。
【０００９】
前記制御部は、前記表示部に第２画像を表示した後、前記装置本体の傾きが水平位置に戻されても、前記第２画像を継続して前記表示部に表示することが好ましい。
【００１０】
前記装置本体に、操作しながら前記装置本体を水平位置から傾けたときのみに、前記第１画像から第２画像への変更を許容する誤動作防止用操作部を設けることが好ましい。
【００１１】
前記装置本体に、前記第１画像に写っている人物が複数である場合、１回の操作毎に前記第１画像に写っている人物を１人ずつ順番に選択してその人の顔を拡大表示する人物選択操作部を設け、この人物選択操作部により選択された人物の顔が前記表示部に拡大表示されている状態で、前記誤動作防止用操作部を操作しながら前記装置本体を水平位置から傾けることにより、前記角速度センサからの出力に基づいて前記傾き方向判別部が前記装置本体の水平位置からの傾き方向を判別し、前記制御部は、前記選択された人物と同一人物で、かつ前記傾き方向に応じた顔の向きの人物が写っている第３画像を前記表示部に表示することが好ましい。
【００１２】
前記同一人物について顔の向きが異なる複数個の画像の画像データを予め記憶した記憶部を設けることが好ましい。
【００１３】
前記記憶部に記憶された顔の向きが異なる同一人物が写っている複数個の画像の明るさを揃えるように補正する明るさ補正部を設けることが好ましい。
【００１４】
前記記憶部に記憶された顔の向きが異なる同一人物が写っている複数個の画像のホワイトバランスを揃えるように補正するホワイトバランス補正部を設けることが好ましい。
【００１５】
本発明の画像表示方法は、画像が表示される表示部を備えた装置本体が水平位置から傾けられた際に、その角速度を検出する角速度検出ステップと、前記角速度に基づいて、前記装置本体の水平位置からの傾き方向を判別する傾き方向判別ステップと、前記装置本体が水平位置から傾けられた際に、前記装置本体の水平位置で前記表示部に表示されていた第１画像に写っている人物と同一人物で、かつ顔の向きが前記傾き方向に応じた向きの人物が写っている第２画像を前記表示部に表示する顔向き変更ステップとからなることを特徴とする。
【発明の効果】
【００１６】
本発明によれば、装置本体が水平位置から傾けられた際に、その角速度を角速度センサが検出し、角速度センサからの出力に基づいて装置本体の傾き方向を判別し、水平位置で表示されていた第１画像に写っている人物と同一人物で、かつ傾き方向に応じた顔の向きの人物が写っている第２画像を表示部に表示するから、装置本体を傾けるというきわめて簡単な操作で同じ人物の画像を複数の向きで表示することができる。
【図面の簡単な説明】
【００１７】
【図１】本発明の第１実施形態の画像表示装置を示す説明図である。
【図２】第１実施形態の電気的構成を示すブロック図である。
【図３】画像データの読込みに係るシーケンスを示すフローチャートである。
【図４】第１実施形態の主なシーケンスを示すフローチャートである。
【図５】本発明の第２実施形態の画像表示装置を示す説明図である。
【図６】第２実施形態の電気的構成を示すブロック図である。
【図７】第２実施形態の主なシーケンスを示すフローチャートである。
【図８】本発明の第３実施形態の画像表示装置を示す説明図である。
【図９】第３実施形態の電気的構成を示すブロック図である。
【図１０】第３実施形態の主なシーケンスを示すフローチャートである。
【図１１】人物選択した後、向き変更許容ボタンを押しながら傾けた際の画像の変化を示す説明図である。
【発明を実施するための形態】
【００１８】
本発明の第１実施形態である画像表示装置１０は、図１に示すように、例えば厚み数ｍｍ〜１０ｍｍ程度のカード状をした装置本体１１の片面に、画像を表示する液晶ディスプレイ（ＬＣＤ）１２と、１回押圧する毎に電源オンと電源オフとを交互に行なう電源ボタン１３と、画像送りボタン１４とを備えている。画像送りボタン１４は、それぞれ三角形状をした一対の順送りボタン１４ａ，逆送りボタン１４ｂからなる。順送りボタン１４ａを押圧すると、ＬＣＤ１４に表示された画像が、異なる次の画像に送られ、逆送りボタン１４ｂを押圧すると、前の画像に戻される。
【００１９】
同図（Ａ）に示すように、装置本体１１を水平位置にした状態で電源ボタン１３を押圧すると、第１画像１５がＬＣＤ１２に表示される。第１画像１５には、正面を向いた顔１６ａの人物１６が写っている。このＬＣＤ１２を正面に見た状態から、同図（Ｂ）に示すように、装置本体１１を左下方向へ傾ける（装置本体１１の左端が下方となるように反時計方向に回転）と、第１画像１５と同じ人物１６の右側を向いた顔１６ｂが写っている第２画像１７がＬＣＤ１２に表示される。この状態から、装置本体１１の傾きをそれぞれ元の水平位置（同図（Ａ））に戻しても、第２画像１７は継続してＬＣＤ１２に表示される。
【００２０】
装置本体１１を水平位置（同図（Ａ））から、ＬＣＤ１２を正面に見た状態から、同図（Ｃ）に示すように、装置本体１１を右下方向へ傾ける（装置本体１１の右端が下方となるように時計方向に回転）と、人物１６の左側を向いた顔１６ｃが写っている第３画像１８がＬＣＤ１２に表示される。この状態から、装置本体１１の傾きをそれぞれ元の水平位置（同図（Ａ））に戻しても、第３画像１８は継続してＬＣＤ１２に表示される。
【００２１】
画像表示装置１０の電気的構成を示す図２において、ＣＰＵ等から構成され、画像表示装置１０全体の制御を担うシステム制御回路２０（傾き方向判別部及び制御部）には、前記電源ボタン１３、画像送りボタン１４の他、前記ＬＣＤ１２を駆動してＬＣＤ１２に画像を表示するＬＣＤドライバ２１、外部と画像データの遣り取りを行なう入出力ポート（Ｉ／Ｏポート）２２、電源オフ時でも画像データや各種プログラム等を記憶保持するＥＥＰＲＯＭ等の不揮発性メモリ２３、作業用に使用されるＲＡＭ等の一時記憶用メモリ２４、画像データから被写体の顔及びその向きを検出する顔検出部２５、装置本体１１を水平位置（図１（Ａ））から左下方向，右下方向のいずれかに傾けた際の角速度を検出するジャイロセンサ２６が接続されている。
【００２２】
顔検出部２５は、不揮発性メモリ２３から画像データを読み出して被写体の両眼を抽出することによって被写体の顔を抽出する。被写体の両眼を抽出する際には、画像データの画像を格子状に分割し（例えば１６×１６）、各分割領域に含まれるＲ，Ｇ，Ｂの各色信号の信号レベルから、皮膚と推定される肌色の画素を多く含む分割領域を選び出す。
【００２３】
さらに、肌色の画素を多く含む領域から眼部の白色の画素と瞳と推定される黒色の画素を有する領域を選び出し、その領域から画像上の被写体の両眼の位置座標を求め、両眼の位置座標の中点を代表点として顔の位置が求められる。顔検出回路４５は、抽出された被写体の両眼の位置座標から、その周囲の肌色の画素を多く含む領域を顔領域と見なす。顔領域における両眼の位置座標から正面を向いた顔か横を向いた顔かを判断する。
【００２４】
顔検出回路４５は、不揮発性メモリ２３に記憶された画像データが複数ある場合、顔の向きを示す「顔向き付加情報」を各画像データに添付するとともに、顔の輪郭や頭髪等の特徴から同一人物が写っている画像であると判断された各画像データには、これを示すための同一人物に共通する「同一人物付加情報」を添付する。これにより、顔の向きが異なる同一人物を迅速に検索可能となる。なお、本実施形態では、説明を簡単にするために、１個の画像データの画像には、１人の人物のみが写っているものとする。
【００２５】
システム制御回路２０は、ジャイロセンサ２５から入力される角速度が所定の閾値αを超えた時点で、ジャイロセンサ２５から入力された角速度に基づいて、装置本体１１が左下方向，右下方向のいずれかに傾けられたかの判別を行なう。
【００２６】
システム制御回路２０は、装置本体１１が左下に傾けられた（反時計方向に回転された）場合、装置本体１１の水平位置でＬＣＤ１２に表示されていた人物と同一人物とみなされる人物の右側（ＬＣＤ１２の画面上の左側）を向いた画像データを不揮発性メモリ２３から検索して、その画像をＬＣＤ１２に表示する。また、装置本体１１が右下に傾けられた（時計方向に回転された）場合、同一人物の左側（ＬＣＤ１２の画面上では右側）を向いた画像データを不揮発性メモリ２３から検索し、その画像をＬＣＤ１２に表示する。
【００２７】
このように構成された画像表示装置１０の作用を図３及び図４のフローチャートに従って説明する。なお、括弧内のｓｔ（ステップの意）１等は、図３，図４に示すｓｔ１等に対応する。予め、ＵＳＢメモリカードやパーソナルコンピュータ等からＩ／Ｏポート２２を介して撮影済みの画像データを読み込み、不揮発性メモリ２３に記憶させておく。このとき、顔検出部２５は、不揮発性メモリ２３に記憶された全ての画像データについてそれぞれ顔の検出を行ない（ｓｔ１，２）、顔の向きを示す「顔向き付加情報」を各画像データに添付する（ｓｔ３）とともに、同一人物が写っていると判断される各画像の画像データに「同一人物付加情報」を添付する（ｓｔ４）。
【００２８】
装置本体１１を水平位置にした状態で電源ボタン１３を押圧して装置本体１１の電源をオンにすると、正面を向いた顔１６ａの人物１６が写った第１画像１５がＬＣＤ１２に表示される（ｓｔ１１）。装置本体１１に電源投入直後、最初に表示される第１画像１５は、不揮発性メモリ２３に記憶されている画像のうち、例えば撮影日時が最も古い画像である。また、電源投入直後、最初に表示される第１画像１５を、前回の電源オフ直前にＬＣＤ１２に表示されていた画像、または不揮発性メモリ２３に最初に記憶された画像としてもよい。なお、これらの画像が、正面を向いた顔の人物が写ったものでない場合もあり得るが、説明を簡単にするために、正面を向いた顔の人物が写ったものであるとする。
【００２９】
装置本体１１を左下方向，右下方向のいずれかに傾けると（ｓｔ１２）、この傾けた際の角速度をジャイロセンサ２６が検出してシステム制御回路２０に入力する。この角速度が所定の閾値α以上である場合（ｓｔ１３）、システム制御回路２０は、ユーザが装置本体１１を故意に傾けたと見做し、ジャイロセンサ２６から入力された角速度に基づいて、装置本体１１が傾けられた方向が、右下方向（時計方向）か左下方向（反時計方向）かを判別する。
【００３０】
装置本体１１が傾けられた方向が左下（反時計方向）である場合（ｓｔ１４）、システム制御回路２０は、各画像データに添付された「顔向き付加情報」と「同一人物付加情報」とを参照して、第１画像１５と同一の人物１６で右側を向いた（画面上では左側を向いた）顔１６ｂの第２画像１７が写っている画像データを不揮発性メモリ２３から検索して一時記憶用メモリ２４に読み込み（ｓｔ１５）、第２画像１７をＬＣＤ１２に表示する（ｓｔ１１）。
【００３１】
装置本体１１が傾けられた方向が右下（時計方向）である場合（ｓｔ１４）、システム制御回路２０は、第１画像１５と同一の人物１６で左側を向いた顔１６ｃの第３画像１８が写っている画像データを不揮発性メモリ２３から検索して一時記憶用メモリ２４に読み込み（ｓｔ１６）、第２画像１７をＬＣＤ１２に表示する（ｓｔ１１）。
【００３２】
ジャイロセンサ２６によって検出された角速度が所定の閾値α未満である場合（ｓｔ１３）、システム制御回路２０は、装置本体１１の傾斜量がきわめて少ないことから、ユーザが装置本体１１を故意に傾けたのではないと見做し、傾斜方向の判断（ｓｔ１４）を行なわない。
【００３３】
第１〜第３画像のいずれかがＬＣＤ１２に表示されている状態から順送りボタン１４ａを押圧すると（ｓｔ１７）、システム制御回路２０は、不揮発性メモリ２３から、ＬＣＤ１２に表示されている画像の次に撮影された別の画像が写った画像データを読み出して（ｓｔ１８）、その画像をＬＣＤ１２に表示する（ｓｔ１１）。
【００３４】
第１〜第３画像のいずれかがＬＣＤ１２に表示されている状態から逆送りボタン１４ｂを押圧すると（ｓｔ１９）、システム制御回路２０は、不揮発性メモリ２３から、ＬＣＤ１２に表示されている画像の前に撮影された画像が写った画像データを読み出して（ｓｔ２０）、その画像をＬＣＤ１２に表示する（ｓｔ１１）。
【００３５】
装置本体１１が水平位置で第２画像１７がＬＣＤ１２に表示されている状態から、装置本体１１を右下方向に傾ける（時計方向に回転）と、第１画像１５がＬＣＤ１２に表示される。また、装置本体１１を左下方向に傾ける（反時計方向に回転）と、システム制御回路２０は、第２画像１７と同一の人物１６で更に右向き（ＬＣＤ１２の画面上では左側に向いている）の顔の画像が写っている画像データを不揮発性メモリ２３から検索し、存在すれば、その画像をＬＣＤ１２に表示する。もし、そのような画像が存在しない場合、第２画像１７をＬＣＤ１２に表示したまま、「更に右向き顔の画像はありません」等の警告表示を行なう。
【００３６】
装置本体１１が水平位置で第３画像１８がＬＣＤ１２に表示されている状態から、装置本体１１を左下方向に傾ける（反時計方向に回転）と、第１画像１５がＬＣＤ１２に表示される。また、装置本体１１を右下方向に傾ける（時計方向に回転）と、システム制御回路２０は、第３画像１８と同一の人物１６で更に左向き（ＬＣＤ１２の画面上では右側に向いている）の顔の画像が写っている画像データを不揮発性メモリ２３から検索し、存在すれば、その画像をＬＣＤ１２に表示する。もし、そのような画像が存在しない場合、第３画像１８をＬＣＤ１２に表示したまま、「更に左向き顔の画像はありません」等の警告表示を行なう。
【００３７】
なお、装置本体１１に電源投入直後、最初に表示される画像が、正面を向いた顔の人物が写ったものでない場合、上述した装置本体１１が水平位置で第２画像１７または第３画像１８がＬＣＤ１２に表示されている場合と同様であるから、説明を省略する。
【００３８】
次に、本発明の第２実施形態について図５ないし図７を参照して説明する。なお、上記第１実施形態と同じ部材や同じステップには、同じ符号を付し、説明を省略する。画像表示装置３０は、上記第１実施形態の画像表示装置１０に、向き変更許容ボタン３２（誤動作防止用操作部）を追加したもので、向き変更許容ボタン３２は、装置本体３１の電源ボタン１３の下方部に設けられている。
【００３９】
向き変更許容ボタン３２は、これを押圧しながら、装置本体３１を傾けた場合のみに、ＬＣＤ１２に表示された画像に写っている人物の向きが変更される（人物の向きが異なる画像が表示される）ようにしたもので、向き変更許容ボタン３２を押圧していなければ、装置本体３１を不用意に傾けても、画像に写っている人物の向きが変更されることがないので、誤動作防止となる。
【００４０】
向き変更許容ボタン３２を押圧しながら装置本体３１を傾けると（ｓｔ３１）、ジャイロセンサ２６が角速度を測定（ｓｔ３２）してシステム制御回路２０に入力する。装置本体３１の傾斜方向（左下方向か右下方向）によって、第１画像１５が、上記第１実施形態と同様に、第２画像１７（図５（Ｂ））、または第３画像１８（同図（Ｃ））に変更され、ＬＣＤ１２に表示される。向き変更許容ボタン３２を押圧せずに装置本体３１を傾けた場合（ｓｔ３１）、図１（Ｄ），（Ｅ）に示すように、ＬＣＤ１２には、第１画像１５がそのまま継続して表示される。
【００４１】
次に、本発明の第３実施形態について図８ないし図１１を参照して説明する。なお、上記第１，２実施形態と同じ部材や同じステップには、同じ符号を付し、説明を省略する。画像表示装置４０は、上記第２実施形態の画像表示装置３０の向き変更許容ボタン３２に加えて、装置本体４１に人物選択ボタン（人物選択操作部）４２（図８（Ａ），図９）を設けたものである。人物選択ボタン４２は、向き変更許容ボタン３２と画像送りボタン１４との間に配置されている。
【００４２】
第１画像４３に複数、例えば２人の人物１６，４４が写っている場合に（図８（Ａ），ｓｔ４１）、人物選択ボタン４２を１回押圧する（ｓｔ４２）と、例えば画面の右側に表示されている人物１６の顔がクローズアップされた第２画像４５がＬＣＤ１２に表示される（同図（Ｂ））。次に、もう一度人物選択ボタン４２を押圧すると、人物１６の隣に写っている人物４４の顔がクローズアップされた第３画像４６がＬＣＤ１２に表示される（同図（Ｃ））。更に、人物選択ボタン４２を押圧すると、２人の人物１６，４４が同時に写っている元の第１画像４３がＬＣＤ１２に表示される（同図（Ａ））。つまり、人物選択ボタン４２を１回押圧する毎に、第１画像４３→第２画像４５→第３画像４６→第１画像４３→・・・と繰り返し、各画像がＬＣＤ１２に表示される。第１画像４３が写っている人物が３人以上でも同様である。
【００４３】
例えば、所望の人物４４の顔４４ａがクローズアップされた第３画像４６がＬＣＤ１２に表示された状態で（ｓｔ４３）、向き変更許容ボタン３２を押圧しながら装置本体４１を右下方向（時計方向）または左下方向（反時計方向）に傾けると（ｓｔ３１）、ジャイロセンサ２６が角速度を測定（ｓｔ３２）してシステム制御回路２０に入力する。
【００４４】
装置本体４１が左下方向（反時計方向）に傾けられた場合（ｓｔ１４）、第３画像４６に写っている左向きの（画面上では右側を向いている）人物４４の顔４４ａ（図１１（Ａ））よりも右向きであるほぼ正面を向いた顔４４ｂの人物４４が写っている第４画像４７（同図（Ｂ））が、不揮発性メモリ２３から読み出され（ｓｔ１５）、第３画像４６に代わってＬＣＤ１２に表示される。この場合、第４画像４７には、人物４４以外にＬＣＤ１２に表示されていない人物、例えば人物１６が写っている場合もあり得るが、顔検出部２５により人物４４が検出されて、その顔４４ｂのクローズアップがＬＣＤ１２に表示される。
【００４５】
装置本体４１が右下方向（時計方向）に傾けられた場合（ｓｔ１４）、人物４４の顔４４ａ（図１１（Ａ））よりも更に左向きの（画面上では更に右側を向いている）顔４４ｃの人物４４が写っている第５画像４８（同図（Ｃ））が、不揮発性メモリ２３から読み出され（ｓｔ１６）、第３画像４６に代わってＬＣＤ１２に表示される。この場合、第５画像４８には、人物４４以外にＬＣＤ１２に表示されていない人物、例えば人物１６が写っている場合もあり得るが、顔検出部２５により人物４４が検出されて、その顔４４ｃのクローズアップがＬＣＤ１２に表示される。
【００４６】
上記実施形態１〜３において、向きが異なる同一人物の画像を表示する際に、各画像間に明るさの相違があった場合、各画像間の明るさがほぼ同じになるように調整する「明るさ補正部」をシステム制御回路２０に接続するのが好ましい。この場合、システム制御回路２０が「明るさ補正部」を駆動して自動的に各画像間の明るさ調整を行なうようにしてもよいが、ユーザが最も好ましいと思える明るさの画像を基準画像として選択する「画像選択操作部」と、基準画像を基準として他の画像の明るさを調整する「明るさ補正操作部」（いずれも図示せず）とを設け、「画像選択操作部」により基準画像を選択した後、「明るさ補正操作部」を操作することにより、システム制御回路２０が「明るさ補正部」を駆動し、基準画像を基準として他の画像の明るさを調整するのが好ましい。
【００４７】
補正後の画像の画像データは、一時記憶用メモリ２４に記憶してもよいが、元の画像データのファイルとは別ファイルとして不揮発性メモリ２３に記憶してもよい。不揮発性メモリ２３に記憶した場合、以後、向きが異なる同一人物の画像を表示する際に、不揮発性メモリ２３から補正後の画像データが読み出されるようにすれば、各画像間でぼぼ同じ明るさの画像が常に表示されるようになる。
【００４８】
また、「明るさ補正部」に加えて、あるいは「明るさ補正部」と択一的に、各画像間のホワイトバランスがほぼ同じになるように調整する「ＷＢ（ホワイトバランス）補正部」をシステム制御回路２０に接続してもよい。この場合、システム制御回路２０が「ＷＢ補正部」を駆動して自動的に各画像間のホワイトバランス調整を行なうようにしてもよいが、ユーザが最も好ましいと思えるホワイトバランスの画像を基準画像として選択する「画像選択操作部」と、基準画像を基準として他の画像のホワイトバランスを調整する「ＷＢ補正操作部」（いずれも図示せず）とを設け、「画像選択操作部」により基準画像を選択した後、「ＷＢ補正操作部」を操作することにより、システム制御回路２０が「ＷＢ補正部」を駆動し、基準画像を基準として他の画像のホワイトバランスが調整されるようにするのが好ましい。
【００４９】
ＷＢ補正後の画像の画像データは、一時記憶用メモリ２４に記憶してもよいが、元の画像データのファイルとは別ファイルとして不揮発性メモリ２３に記憶してもよい。不揮発性メモリ２３に記憶した場合、以後、向きが異なる同一人物の画像を表示する際に、不揮発性メモリ２３から補正後の画像データが読み出されるようにすれば、各画像間でぼぼ同じホワイトバランスの画像が常に表示されるようになる。
【００５０】
また、ＬＣＤ１２に表示された画像に写っている人物がＬＣＤ１２の画面に対して傾いている場合、その人物がＬＣＤ１２の画面に対して水平に表示されるように補正する「水平補正部」をシステム制御回路２０に設けるようにしてもよい。この場合、システム制御回路２０がＬＣＤ１２に表示される各画像毎に「水平補正部」を駆動して自動的に各画像の傾きを水平に補正するようにしてもよいが、装置本体に「水平補正操作部」を設け、これをユーザが操作した場合に、システム制御回路２０が「水平補正部」を駆動し、人物の傾きが補正されるようにしてもよい。人物の傾きは、顔検出部２５によって検出された両眼や鼻、口などの位置関係から検出される。また、「水平補正部」による傾き補正は、上記第１〜３実施形態において、顔の向きが異なる画像を表示した場合にも、有効に機能するのは勿論である。
【００５１】
以上説明した実施形態では、顔の向きが異なる同一人物を迅速に表示するために、不揮発性メモリに記憶された全ての画像データについて予めそれぞれ顔検出を行ない、「顔向き付加情報」と「同一人物付加情報」を各画像データ毎に添付するようにしたが、本発明はこれに限定されることなく、例えば顔の向きが異なる同一人物を表示するその都度、顔検出部が各画像の顔検出を行なって表示するようにしてもよい。
【符号の説明】
【００５２】
１０，３０，４０  画像表示装置
１２  ＬＣＤ
１４  画像送りボタン
１５，４３  第１画像
１６，４４  人物
１７，４５  第２画像
１８，４６  第３画像
２０  システム制御回路
２５  顔検出部
２６  ジャイロセンサ
３２  向き変更許容ボタン
４２  人物選択ボタン
４７  第４画像
４８  第５画像
【図１】
2010181556.tif 000003
【図２】
2010181556.tif 000004
【図３】
2010181556.tif 000005
【図４】
2010181556.tif 000006
【図５】
2010181556.tif 000007
【図６】
2010181556.tif 000008
【図７】
2010181556.tif 000009
【図８】
2010181556.tif 000010
【図９】
2010181556.tif 000011
【図１０】
2010181556.tif 000012
【図１１】
2010181556.tif 000013